(57)【要約】【目的】把持部の両端に重錘部を有するダンベルを、ダンベルとしての用途以外に使用することを可能とする。【構成】把持部の両端部に重錘部を備えたダンベルであって、上記把持部は各重錘部における重心を通る位置に連設すると共に、上記重錘部が直方体であり、床面と対接するのが直方体の平面部である。【選択図】図１
2004305685.tif 000002
【特許請求の範囲】
【請求項１】
把持部の両端部に重錘部を備えたダンベルであって、上記把持部は各重錘部における重心を通る位置に連設すると共に、上記重錘部が直方体であり、床面に設置した際、床面と対接するのが直方体の平面部であることを特徴とするダンベル。
【請求項２】
直方体の重錘部の長手方向の平面に、把持部の軸線に直角方向に回転する複数個の車輪が設けられていることを特徴とする請求項１記載のダンベル。
【請求項３】
ダンベルが、回収金属、間伐材または回収プラスチック等のリサイクル素材を用い、ダンベルの密度を前記素材の混合比で変えることができることを特徴とする請求項１、２記載のダンベル。
【請求項４】
ダンベルが磁気を帯びていることを特徴とする請求項１、２３記載のダンベル。
【請求項５】
ダンベルにヒノキチオール等の芳香成分を含浸させたことを特徴とする請求項１、２、３、４記載のダンベル。
【発明の詳細な説明】
【０００１】
【産業上の利用分野】
本発明は、筋力トレーニング用のダンベルに関し、更に詳細には、ダンベルの用途を他に拡大できるようにしたダンベルに関する。
【０００２】
【従来の技術】
ダンベルは、通常、スポーツの補助運動としての腕の筋力増強や、リハビリテーションのような医療分野で好適に使用されている。これらダンベルは、把持部とその両端の重錘部から形成されており、使用時は、把持部を握ってダンベルを上下させたり、振ったりするトレーニングを行っているが、バーベルなどと同じく、その用法が機能的に限定されている。そこで、ダンベルの用途を拡大する方法が、提案されている。
例えば特許文献１では、把持部は、各重錘部の上下方向の中間から上方へ偏位した該重錘部の上部位置に連設すると共に、上記重錘部は床面と対接する底面部に平坦部を形成することで、腕立て伏せや腹筋運動を行う際の器具として使用できる方法が提案されている。
また特許文献２では、ダンベル本体を木製とすることで、筋肉のトレーニング以外に、リラクゼーション効果を期待し得るダンベルが提案されている。
【０００３】
【特許文献１】
特開平７−２０４２９２
【特許文献２】
特開平１１−３１９１４３
【０００４】
【発明が解決しようとする課題】
しかしながら、特許文献１のダンベルは、腕立て伏せを行う場合、把持部が重錘部の中間より上方に偏位した位置に連接されているため不安定である。また、倒立運動の場合は、ダンベルに更なる安定性が要求されるため安全上の問題がある。
また、特許文献２のダンベルは、リラクゼーション効果を生むために木製とし重錘部の重量を増やすために内部に金属等のウエイトを入れる構造としてあるが、ウエイトを入れるために、ダンベル本体に加工する必要がありコストが高くなるということ、およびウエイトを入れたあとの蓋部の破損、閉め忘れ等から運動中にウエイトが脱落するという問題がある。
【０００５】
そこで本発明は、従来のダンベルとしての用途の他に、腕立て伏せや倒立運動を行う際に、安定で安全に運動ができ、更にリラクゼーション効果の高いダンベルを安価に提供することを目的とする。
【０００６】
【課題を解決するための手段】
上記課題を解決するために、本発明になるダンベルは、把持部の両端部に重錘部を備えたダンベルであって、上記把持部は各重錘部における重心を通る位置に連設すると共に、上記重錘部が直方体であり、床面と対接するのが直方体の平面部であることを特徴とする。
【０００７】
前記直方体の重錘部の長手方向の平面に、把持部の軸線に直角方向に回転する複数個の車輪が設けられていることで、床面に設置して把持部と直角方向に動かすことができることを特徴とする。
【０００８】
また、ダンベルが、間伐材、回収金属または回収プラスチック等の安価なリサイクル素材を用い、ダンベルの密度を前記の混合比で変えることができることができることを特徴とする。
【０００９】
更に、ダンベルに磁気を帯させることで、運動時は人体に作用する磁場が変動することにより筋肉の凝りを緩和する効果を有することを特徴とする。
【００１０】
また、精神的なリラックス効果を目的にダンベルにヒノキチオール等の芳香成分を含浸させたことを特徴とする。
【００１１】
【実施例】
以下本発明の一実施例によるダンベルについて説明する。図１に示すダンベル１において、ダンベル１は、棒状の把持部２の両端部に、同形の直方体の重錘部３を各重錘部における重心を通る位置にて対称に連設することにより形成されている。
【００１２】
上記重錘部３の形状は、直方体であってダンベル１を床面に設置した場合、安定して載置させるように直方体の平面部３ａまたは３ｂが床面に対接する。図１は、重錘部３の長手方向の面３ａが床面に対接する場合であり、ダンベル１は非常に安定しており、倒立運動の支持用具に好適である。この状態で、腕立て伏せ運動も可能であることはいうまでもない。
【００１３】
図２は、ダンベル１の重錘部３の狭いほうの平面部３ｂが床面に対接している場合を示す。このとき、把持部２と床面との距離は、平面部３ａが床面に対接する図１の場合よりも長くなっている。従って、平坦部３ｂを床面に対接させて腕立て伏せ運動の支持用具として使用した場合、胸部が床面に接するまでの距離が長くなるため、腕の筋肉の収縮量も増え、効果的な運動が可能となる。平面部３ｂを床面に対接させる場合でも、把持部２が重錘部３の重心を通る軸上にあるため安定した載置が可能である。
【００１４】
図３は、ダンベル１の重錘部３の長手方向の平面３ａに、把持部２の軸線方向と直角方向に回転する複数個の車輪４を取り付けたものである。車輪４は、平面３ａの片側のみに取り付けられており、車輪側を床面に当接させた場合は、把持部２と直角方向にダンベル１を容易に動かすことができる。車輪４側を床面に当接させて、把持部２を持って腕立て伏せの姿勢で、腕の開閉運動を行うと大胸筋に大きな負荷を与えることが可能となる。筋力が弱い場合は、膝をついて腕立て伏せの姿勢を取れば、低い負荷で前記の運動を行うことが可能となる。
【００１５】
図１および図２の実施例において、ダンベル１の素材は、間伐材を用いたが、回収金属、回収プラスチック等のリサイクル素材を利用し、これらの混合比を変えることにより、同じ大きさで異なる重量のダンベルを提供することができる。
【００１６】
また、ダンベル１に磁気を帯びさせると、単にダンベル１をぶら下げる運動の場合は、静磁場が人体に作用し、リラクゼーション効果を与える。ダンベル１を手で把持し、腕を曲げて上下させる運動をした場合、人体に作用する磁界が変動するため、血行促進、乳酸分解の効果が高まり、筋肉トレーニングを効果的に行うことができる。
【００１７】
さらに、ダンベル１にヒノキチオール等の芳香成分を含浸させると精神的なリラックス効果が得られた。
【００１８】
【発明の効果】
以上のように、本発明のダンベルは、通常のダンベルとしての用途の他に、腕立て伏せ運動、倒立運動時の支持用具として用途に利用しうると共に、ダンベルの素材として間伐材、回収金属、回収プラスチック等を用いることで、比重の異なるダンベルを安価に提供することができる。
【図面の簡単な説明】
【図１】本発明の一実施例に係わる斜視図
【図２】本発明の別の実施例に係わる斜視図
【図３】本発明の別の実施例に係わる斜視図
【符号の説明】
１    ダンベル
２    把持部
３    重錘部
３ａ  平面部
３ｂ  平面部
４    車輪
【図１】
2004305685.tif 000003
【図２】
2004305685.tif 000004
【図３】
2004305685.tif 000005